(57)【要約】【課題】前後方向に安定して固定されるとともに、簡単に外観上の美観を向上させることができる固定構造を提供する。【解決手段】飾り部材である円形状のリング２１をフロントパネル２２の前面から円形状の孔Ｈに嵌合させ、固定する固定構造２は、リング２１の裏側に設けられた複数の係止部の位置を切欠部２２１の位置に合わせて挿入し、リング２１を回転させることにより、移動する複数の係止部がフロントパネル２２の裏面に受けられた複数の固定リブに当接してリング２１とフロントパネル２２を固定する。【選択図】図３
2008095855.tif 000002
【特許請求の範囲】
【請求項１】
円形状の孔を有する第１部材の前記孔に、円形状の第２部材を前記第１部材の前面から固定する固定構造であって、
前記第１部材は、
前記孔の円周上の所定の位置に形成された複数の切欠部と、
前記第１部材の背面において、前記複数の切欠部それぞれから同一の円周方向に同一の距離離れた位置に形成された複数の固定リブと、
を備え、
前記第２部材は、
前記孔の内径より大きな外径を備え、前記第１部材の前面に表出する第１の円形部材と、
前記孔に内接し、前記孔に挿入可能な第２の円形部材と、
前記第２の円形部材の外周側面に、前記複数の切欠部が形成された位置に対応して設けられた複数の係止部と、
を備え、
前記第２部材を前記第１部材の前面から固定させるときは、前記複数の係止部の位置を前記複数の切欠部の位置に合わせて挿入し、前記第２部材を回転させることにより、移動する前記複数の係止部が前記複数の固定リブに当接して固定されることを特徴とする固定構造。
【請求項２】
前記第２部材の回転によって前記係止部が移動する、前記切欠部と前記固定リブの間には、固定したことを確認できる確認用のリブを備えることを特徴とする請求項１記載の固定構造。
【発明の詳細な説明】
【技術分野】
【０００１】
本発明は、二部材間の固定構造に関し、特に、外観面に表出する円形部材の固定構造に関する。
【背景技術】
【０００２】
リング状の飾り部材を電子機器のフロントパネル前面に表出させて固定する方法としては、例えば、図１に示すように、飾り部材１１をフロントパネル１２とベース１３の間に挟みこんで固定する方法が知られている。
【発明の開示】
【発明が解決しようとする課題】
【０００３】
しかしながら、図１に示した３つの部材（飾り部材１１、フロントパネル１２及びベース１３）により構成される固定構造１においては、飾り部材１１を前後から挟み込んで固定するため、前後方向のがたが生じやすいという問題がある。
【０００４】
また、リング状の飾り部材１１は、電子機器の外観を形成する一意匠であるから、リング状の飾り部材が取り付けられる位置は、フロントパネル１２上のあらゆる場所が想定される。しかしながら、固定構造１においては、図２（ａ）に示すように、飾り部材１１がフロントパネル１２下方の稜線１２ａにかかるような意匠デザインの場合には、フロントパネル１２の表面に施されるホットスタンプ処理がうまく行われないという問題がある。すなわち、このような場合には、図２（ｂ）に示すように、フロントパネル１２に設けられた円孔Ｈにより稜線１２ａが途切れて、ホットスタンプ領域が分断されるので、ホットスタンプ処理が一工程で行えないとともに、鋭利な形状部分Ｐ１が生じてしまうので、箔はがれ等をおこしやすくなり、外観上の美観を損なうという問題がある。
【０００５】
また、固定構造１においては、飾り部材１１のフロントパネル１２前面に表出する表出部分１１１の最大径に基づいて、円孔Ｈが形成されるので、孔Ｈ周縁のエッジ部分Ｐ２は、外観面として露出してしまい表出部分１１１との間に隙間が生じるという問題もある。そのため、エッジ部分Ｐ２に対して箔がきれいに転写されていない場合には、ホットスタンプ処理後にさらに２次的な仕上げ処理が必要となり、手間がかかるという問題がある。
【０００６】
本発明は、上記の事情を鑑みてなされたものであり、その課題の一例としては、円形状の孔を有する第１部材の孔に、円形状の第２部材を前面から固定する円形部材の固定構造において、前後方向に安定して固定されるとともに、簡単に外観上の美観を向上させることができる固定構造を提供することにある。
【課題を解決するための手段】
【０００７】
上記の課題を達成するため、請求項１記載の固定構造は、円形状の孔を有する第１部材の前記孔に、円形状の第２部材を前記第１部材の前面から固定する固定構造であって、前記第１部材は、前記孔の円周上の所定の位置に形成された複数の切欠部と、前記第１部材の背面において、前記複数の切欠部それぞれから同一の円周方向に同一の距離離れた位置に形成された複数の固定リブと、を備え、前記第２部材は、前記孔の内径より大きな外径を備え、前記第１部材の前面に表出する第１の円形部材と、前記孔の内径より小さな外径を備え、前記孔に挿入可能な第２の円形部材と、前記第２の円形部材の外周側面に、前記複数の切欠部が形成された位置に対応して設けられた複数の係止部と、を備え、前記第２部材を前記第１部材の前面から固定させるときは、前記複数の係止部の位置を前記複数の切欠部の位置に合わせて挿入し、前記第２部材を回転させることにより、移動する前記複数の係止部が前記複数の固定リブに当接して固定されることを特徴とする。
【発明を実施するための最良の形態】
【０００８】
以下、本発明の実施の形態を図面を用いて説明する。
【０００９】
図３は、本発明の実施の形態に係る固定構造２を示す外観斜視図である。詳しくは、  図３は、固定構造２を正面方向から見たときの外観図であり、図３（ａ）は、リング２１をフロントパネル２２に取り付ける前の状態、図３（ｂ）は、リング２１をフロントパネル２２に取り付けた後の状態を示している。本実施の形態では、一例として、固定構造２を、映像機器（例えば、ＤＶＤレコーダ）のフロントパネルの前面にリングを固定する固定構造として説明をするが、本発明が適用される固定構造は、これに限定されるものではなく、円形状の孔を有する一の部材の当該孔に、円形状の他の部材を一の部材の前面から嵌合させ、固定するような２部材を外観として備える製品であれば、いずれであっても適用することができる。
【００１０】
図３に示すように、固定構造２は、飾り部材である円形状のリング２１をフロントパネル２２の前面から円形状の孔Ｈに嵌合させ、固定する固定構造となっている。図３（ｂ）に示すように、リング２１をフロントパネル２２の孔Ｈに取り付けた状態では、リング状の飾り部２１１がフロントパネル２２の前面に表出するようになっている。
【００１１】
図４は、リング２１を裏側から見たときの外観斜視図である。リング２１は、図３及び図４に示すように、孔Ｈの内径より大きな外径を備え、フロントパネル２２に取り付けた状態においては、フロントパネル２２の前面に表出するリング状の飾り部２１１、フロントパネル２２に取り付けた状態においては、孔Ｈの内周面に接して、孔Ｈを挿通するリング状の支持部２１２、及び支持部２１２の外周側面の一端に等間隔に配置され、径方向外方に凸設された３つの係止部２１３を具備する構成である。なお、係止部２１３は、後述する孔Ｈの内周側面に設けられた切欠部２２１に挿入可能な大きさに形成されている。
【００１２】
図５は、リング２１を取り付けていない状態のフロントパネル２２を正面方向から見た外観斜視図である。本実施の形態では、フロントパネル２２の前面からリング２１を挿入するため、支持部２１２の外径で孔Ｈを形成すればよいので（リング２１の最大径、すなわち、飾り部２１１の外径で孔Ｈを形成する必要はない）、図３に示すように、リング２１の飾り部２１１がフロントパネル２２下方の稜線２２ａにかかるような意匠デザインであっても、図５に示す通り、稜線２２ａが途切れることはない。このため、フロントパネル２２下方の稜線２２ａ近傍のホットスタンプ領域Ｐ３が分断されることはなく、ホットスタンプ処理が一工程で行えるというメリットがある。また、孔Ｈの周縁のエッジ部分Ｐ２（図３（ａ）参照）は、リング２の飾り部２１１によって隠されてしまうので、外観面として露出することはなく、仮にエッジ部分Ｐ２のホットスタンプ処理がうまくなされていないとしても、２次的な仕上げ処理は不要となる。
【００１３】
図６は、フロントパネル２２を背面方向から見たときの外観斜視図であり、図６（ａ）は、リング２１をフロントパネル２２に取り付ける前の状態、図６（ｂ）は、リング２１をフロントパネル２２に取り付けた後の状態を示している。
【００１４】
図５及び図６に示すように、フロントパネル２２は、孔Ｈの内周側面に等間隔で配置され、径方向外方に凹設された３つの切欠部２２１、フロントパネル２２の背面において孔Ｈの周縁上、３つの切欠部２２１からそれぞれ同一円周方向（本実施の形態では裏面から見て左回り；図６（ｂ）に示すＡ方向）に同一距離をおいて配置され、回転中の係止部２１３を後方（リング２１の挿入方向）に移動させて固定させる、３つの突起状の固定リブ２２２、フロントパネル２２の背面において孔Ｈの周縁上、各固定リブ２２２から同一円周方向（図６（ｂ）に示すＡ方向）に切欠部２２１までの間に立設され、孔Ｈに挿入されたリング２１の支持部２１２の回転を案内する案内壁２２３、及びフロントパネル２２の背面において孔Ｈの周縁上、一の切欠部２２１と固定リブ２２２の間に配置され、回転中の係止部２１３が乗り越えることによって作業者に固定されたことを確認させる突起状の確認用リブ２２４を具備する構成である。ここで、固定リブ２２２、案内壁２２３及び確認用リブ２２４は、それぞれ後方に突出して設けられている。
【００１５】
図６及び図７を用いて、本実施の形態に係る固定構造２の固定方法について説明する。ここで、図７は、図６（ｂ）のリング２１の係止部２１３とフロントパネル２２の固定リブ２２２との係合部分を詳しく示す側面図である。
【００１６】
リング２１をフロントパネル２２に固定するときは、まず、リング２１の３つの係止部２１３の位置を孔Ｈの３つの切欠部２２１の位置に合わせ、フロントパネル２２の前面から孔Ｈに対して、リング２１の支持部２１２を挿入する。この結果、３つの係止部２１３はそれぞれ、切欠部２２１を通過し、フロントパネル２２の背面上に位置づけられる。挿入後、リング２１を所定の方向（図６（ｂ）に示すＡ方向）に回転すると、孔Ｈに内接する支持部２１２は案内壁２２３に沿って、係止部２１３が固定リブ２２２の位置まで到達するまで回転する。係止部２１３が固定リブ２２２の位置まで到達すると、係止部２１３は、固定リブ２２２の斜面に沿って固定リブ２２２の頂部に乗り上げ、頂部において固定される。詳しくは、リング２１の３つの係止部２１３は、固定リブ２２２の高さ分だけ後方（図７に示すＢ方向）に移動させられた位置で、固定リブ２２２に押圧されて、固定されるので、リング２１は前後方向にガタつくことはない。このように、フロントパネル２２は、固定リブ２２２を介することで、リング２１の飾り部２１１と係止部２１３の間に挟持されるので、リング２１は、前後方向に安定して固定されるものである。
【００１７】
また、リング２１をフロントパネル２２に取り付ける作業者は、リング２１を回転させている間に、係止部２１３が確認用リブ２２４を乗り越えるので、これによって、リング２１が固定できたことを感覚的に確認することができる。
【００１８】
図８は、本実施の形態に係る固定構造２を適用したＤＶＤレコーダ２０の外観図である。リング２１は、電源ボタン、録画ボタンの飾り部材として用いられており、フロントパネル２２は開閉可能なドアパネルとして用いられている。
【００１９】
以上、述べたように本実施の形態に係る固定構造２によれば、飾り部材である円形状のリング２１をフロントパネル２２の前面から円形状の孔Ｈに嵌合させ、固定する固定構造において、リング２１の裏側に設けられた複数の係止部２１３の位置を切欠部２２１の位置に合わせて挿入し、リング２１を回転させることにより、複数の係止部２１３がフロントパネル２２の裏面に受けられた複数の固定リブ２２２に当接してリング２１とフロントパネル２２を固定するので、他部材を必要とせずに、前後方向に安定して固定することができる。
【００２０】
また、本実施の形態に係る固定構造２によれば、リング２１とフロントパネル２２だけで両部材を固定することができるので、従来と比して部品点数を少なくすることができ、簡単な構造とすることができる。
【００２１】
また、本実施の形態に係る固定構造２によれば、フロントパネル２２の孔Ｈの周縁のエッジ部分Ｐ２を隠すことができるので、簡単に外観を美しくすることができるとともに、２次処理工程を省略することができるので、作業効率を上げることができる。
【００２２】
なお、従来の飾り部材を前後から挟み込んで固定する方法においては、フロントパネルより大きなリングを取り付けることは不可能であったが、本実施の形態に係る固定構造２においては、フロントパネル２２側より大きなリング２１を取り付けることは可能であり、２部材の大きさは問わないものである。
【００２３】
（その他実施の形態）
以上、本発明の実施の形態について説明してきたが、本発明の要旨を逸脱しない範囲において、本発明の実施の形態に対して種々の変形や変更を施すことができる。例えば、上記の実施の形態の固定構造２では、飾り部材としてリング状の部材を用いたが、本発明はこれに限定されず、円形状の部材であればよい。すなわち、孔を有する形状のリング状の部材の他、孔を有しない円形状の部材、例えば、円筒状や円柱状の部材としてもよいものである。
【図面の簡単な説明】
【００２４】
【図１】リング状の飾り部材をフロントパネル前面に表出させて固定する従来の固定構造の分解斜視図である。
【図２】図１に示す固定構造において、飾り部材を装着した状態、及び飾り部材装着していない状態のフロントパネル前面を示す外観斜視図である。
【図３】本発明の実施の形態に係る固定構造を正面から見たときの外観斜視図である。
【図４】図３に示す固定構造の飾り部材を背面から見たときの外観斜視図である。
【図５】図３に示す固定構造において、飾り部材を装着していない状態のフロントパネル前面を示す外観斜視図である。
【図６】本発明の実施の形態に係る固定構造を背面から見たときの外観斜視図である。
【図７】図３に示す固定構造の係合部分を詳しく示す図である。
【図８】本発明の実施の形態に係る固定構造を適用した電子機器の外観図である。
【符号の説明】
【００２５】
１，２  固定構造
１１  リング状飾り部材
２０  電子機器（ＤＶＤレコーダ）
２１  リング
１２，２２  フロントパネル
１１１，２１１  飾り部
２１２  支持部
２１３  係止部
２２１  切り欠け部
２２２  固定リブ
２２３  確認リブ
２２４  案内壁
Ｈ  孔
【図１】
2008095855.tif 000003
【図２】
2008095855.tif 000004
【図３】
2008095855.tif 000005
【図４】
2008095855.tif 000006
【図５】
2008095855.tif 000007
【図６】
2008095855.tif 000008
【図７】
2008095855.tif 000009
【図８】
2008095855.tif 000010